(57)【要約】      （修正有）【課題】シンプルな構造でありながらも、書類等を迅速に綴じ込むことができるバインダー金具およびバインダーを提供する。【解決手段】バインダー本体の内側に固定されるベース板と、このベース板を水平姿勢にした状態でベース板の両端部からそれぞれ上方に垂直に立ち上がり、それぞれの先端に一対のネジ受け穴が形成され、ファイル対象物を綴じる際に一対の綴じ孔をそれぞれ貫通する、一対のロッド部材と、この一対のロッド部材の先端に架設され、一対のネジ受け穴に対応する位置に一対の透孔が開けられた押さえ板と、この押さえ板に開けられた一対の透孔をそれぞれ貫通して一対のネジ受け穴にそれぞれ螺着される一対の雄ネジと、を備える。一対の雄ネジは多条ネジである。【選択図】図１
0003157127.tif 000002
【実用新案登録請求の範囲】
【請求項１】
バインダー本体の内側に取り付けられ、一対の綴じ孔が設けられたファイル対象物を綴じるためのバインダー金具であって、
前記バインダー本体の内側に固定されるベース板と、
このベース板を水平姿勢にした状態でベース板の両端部からそれぞれ上方に垂直に立ち上がり、それぞれの先端に一対のネジ受け穴が形成され、前記ファイル対象物を綴じる際に前記一対の綴じ孔をそれぞれ貫通する、一対のロッド部材と、
この一対のロッド部材の先端に架設され、前記一対のネジ受け穴に対応する位置に一対の透孔が開けられた押さえ板と、
この押さえ板に開けられた前記一対の透孔をそれぞれ貫通して前記一対のネジ受け穴にそれぞれ螺着される一対の雄ネジと、を備え、
前記一対の雄ネジは多条ネジである、
バインダー金具。
【請求項２】
雄ネジは、
その頭部の直径が押さえ板の幅よりも大きく形成されて押さえ板の左右から前記頭部の一部がはみ出しており、
前記頭部の外周に滑り止め加工が施されている、
請求項１記載のバインダー金具。
【請求項３】
一対のロッド部材は、
分離自在に連結された複数個のロッドピースからそれぞれなり、このロッドピースの数を増減させることでロッド部材の長さを変更自在に構成された、
請求項１又は２記載のバインダー金具。
【請求項４】
一対のロッド部材の先端と押さえ板との間に一対の樹脂製シートを備え、
この一対の樹脂製シートには、押さえ板に開けられた一対の透孔に貫通した一対の雄ネジの先端部を圧入する圧入孔がそれぞれ形成された、
請求項１〜３の何れか記載のバインダー金具。
【請求項５】
請求項１〜４何れか記載のバインダー金具を備えた、
バインダー。
【考案の詳細な説明】
【技術分野】
【０００１】
本考案は、バインダー金具およびバインダーに関する。詳しくは、バインダー本体の内側に取り付けられ、一対の綴じ孔が設けられたファイル対象物を綴じるためのバインダー金具、およびこのようなバインダー金具を備えたバインダーに関する。
【背景技術】
【０００２】
従来より、書類などのファイル対象物（単に書類等と称することがある）を整理する場合に、バインダーに綴じ込むことが行われている。なかでも、ファイル対象物の端部に形成した一対（二個）の綴じ孔に、一対（二個）のロッド部材をそれぞれ貫通させてファイリングする、いわゆる二孔式バインダーは、オフィス等で多く用いられている。
【０００３】
このような従来のバインダーは、例えば、下記特許文献１の従来技術に記載されており、ここには、「穿孔紙を綴じ込むバインダー金具において、綴りピンが筒体の外ピンと、該外ピンに対し挿抜できる針状の内ピンが入れ子式になる形式で、これら、外ピンと内ピンとが植設された支持体の各々が背板に対し回動自在で、かつ、着脱自在に構成したしたものは周知の形態であり、これら操作ならびに作用機構は前記の支持体内に装備され、その構成に基づく各形成部材ならびに板バネやコイルスプリングよりなる数多の部品で形成され、これによって特に組み立て工程において多工数を要する手作業で形成されている。」とある。
【先行技術文献】
【特許文献】
【０００４】
【特許文献１】特開平８-２４４３９２号公報（段落０００３）
【考案の概要】
【考案が解決しようとする課題】
【０００５】
しかし、このような従来のバインダーでは、バインダー金具の構造が複雑であるため、低コスト化に限界があった。これは、商品の性質上、書類等の綴じ込みやすさを犠牲にすることができず、そのため、ある程度複雑な構造とならざるを得なかったものと思われる。
【０００６】
本考案は、上述の事柄に留意してなされたものであって、シンプルな構造でありながらも、書類等を比較的迅速に綴じ込むことができるバインダー金具およびバインダーを提供することを目的とする。
【課題を解決するための手段】
【０００７】
上記課題を解決するために、本考案のバインダー金具は、バインダー本体の内側に取り付けられ、一対の綴じ孔が設けられたファイル対象物を綴じるためのものであって、バインダー本体の内側に固定されるベース板と、このベース板を水平姿勢にした状態でベース板の両端部からそれぞれ上方に垂直に立ち上がり、それぞれの先端に一対のネジ受け穴が形成され、ファイル対象物を綴じる際に一対の綴じ孔をそれぞれ貫通する、一対のロッド部材と、この一対のロッド部材の先端に架設され、一対のネジ受け穴に対応する位置に一対の透孔が開けられた押さえ板と、この押さえ板に開けられた一対の透孔をそれぞれ貫通して一対のネジ受け穴にそれぞれ螺着される一対の雄ネジと、を備え、一対の雄ネジは多条ネジである構成とした。ここで、多条ネジには二条ネジ、三条ネジおよび四条ネジなどが含まれる。
【０００８】
このバインダー金具は、従来のものと比較して、板バネやコイルスプリングなどを用いておらず部品点数が少ないため、シンプルな構造となりコストダウンしやすい。ここで、一対の雄ネジが多条ネジであることによって、シンプルな構造でありながらも比較的迅速に書類等（ファイル対象物）を綴じることができるのである。多条ネジのピッチを大きくとることで、半回転や一回転など、より少ない回転数で雄ネジを締め付けることができるようになる。
【０００９】
このとき、雄ネジは、その頭部（雄ネジの頭部）の直径が押さえ板の幅よりも大きく形成されて押さえ板の左右から雄ネジの頭部の一部がはみ出しており、頭部の外周に滑り止め加工が施されている、バインダー金具とすることが好ましい。
【００１０】
このバインダー金具は、押さえ板の左右から雄ネジの頭部の一部がはみ出しているため、指先で雄ネジの頭部を摘んで回すことが容易になり、より迅速に書類等を綴じることができる。また、頭部の外周に滑り止め加工が施されているため、頭部を摘んで回すことがより容易になり、さらに迅速に書類等を綴じることができる。ここで、滑り止め加工には、外周面に凹凸加工を施すことや、外周面に滑り止めゴムを貼り付けることが含まれる。
【００１１】
また、一対のロッド部材は、分離自在に連結された複数個のロッドピースからそれぞれなり、このロッドピースの数を増減させることでロッド部材の長さを変更自在に構成された、バインダー金具とすることも好ましい。
【００１２】
従来のバインダー金具は、ファイリング可能な書類等の総厚が決まっており、ファイリングすべき書類等が増えるに従い新しいファイルが次々と必要となるという課題もあった。そこで、上記構成のバインダー金具とすることで、ロッド部材の長さが変更自在になり、ファイリング可能な書類等の総厚を可変することが可能となった。
【００１３】
また、一対のロッド部材の先端と押さえ板との間に一対の樹脂製シートを備え、この一対の樹脂製シートには、押さえ板に開けられた一対の透孔に貫通した一対の雄ネジの先端部を圧入する圧入孔がそれぞれ形成された、バインダー金具とすることも好ましい。
【００１４】
このバインダー金具は、上記一対の樹脂製シートを備えることで、書類等の取り外しなどを行うため雄ネジをネジ受け穴から外した際における雄ネジの脱落を防止することができるとともに、書類等を綴じ込んだ状態における雄ネジの緩み止めにもなる。樹脂製シートの材料としては、ビニールやテフロン（登録商標）等を用いることができる。また、樹脂製シートの表面および裏面には凹凸加工を施して、雄ネジの緩み止め効果を増強させてもよい。
【００１５】
また、一対のロッド部材の先端にそれぞれ形成された一対のネジ受け穴が、一対のロッド部材の先端から所定の深さまで雌ネジ溝が切られていないネジ無し部をそれぞれ備えているバインダー金具とすることも好ましい。ネジ無し部の内径は、雄ネジの先端（ネジ部）が容易に入り込めるように、雄ネジの先端（ネジ部）の外径よりも大きく形成されている。
【００１６】
このバインダー金具は、ネジ無し部の深さを調節することで、少ない回転数で雄ネジを締め付けることができるようになる。
【００１７】
また、上記課題は、これらのバインダー金具を備えたバインダーによっても解決される。加えて、これらのバインダー金具に用いられるロッドピースと雄ネジのセット品によっても上記課題は解決される。
【考案の効果】
【００１８】
本考案により、シンプルな構造でありながらも、書類等を迅速に綴じ込むことができるバインダー金具およびバインダーを提供することができる。
【図面の簡単な説明】
【００１９】
【図１】第一実施形態のバインダー金具の分解斜視図である。
【図２】図１のバインダー金具の斜視図である。
【図３】図２のバインダー金具において雄ネジの螺着状態を示す部分拡大断面図である。
【図４】図１のバインダー金具の平面図および部分拡大図である。
【図５】図１のバインダー金具を用いたバインダーである。
【図６】第二実施形態のバインダー金具の分解斜視図である。
【考案を実施するための形態】
【００２０】
以下、図を用いて本考案のバインダー金具およびバインダーを例示説明する。
【００２１】
まず、図１〜図５を用いて、第一実施形態のバインダー金具およびバインダーを説明する。なお、図４における部分拡大図以外の図では、雄ネジの外周に施されている滑り止め加工を省略してある。
【００２２】
また、以下の実施形態はあくまで本考案を例示説明するものであって、本考案は、以下の具体的な実施形態に限定されるものではない。
【００２３】
［第一実施形態］
本第一実施形態のバインダー金具等は、図１および図２に示すように、ベース板３、一対のロッド部材４、押さえ板５、および一対の雄ネジ６を備えている。また、一対のロッド部材４は複数個のロッドピース41,45でそれぞれ構成されている。以下、各構成要素について例示説明する。
【００２４】
１．ベース板
本実施形態のベース板３は長尺な板材であり、金属板を用いてある。また、ベース板３は、図５に示すように、バインダー本体１の背表紙11に沿うように、バインダー本体１の裏表紙13の内面側、背表紙11寄りに固着されることによって、バインダー本体１の内側10に固定されることになる。
【００２５】
なお、バインダー本体１は、背表紙11の両側に表表紙12と裏表紙13をそれぞれ連接し、背表紙11と表表紙12および背表紙11と裏表紙13との連結部においてコ字型に折り曲げ自在に構成されている。
【００２６】
２．ロッド部材
本実施形態のロッド部材４は円柱体であり、金属柱を用いてある。このロッド部材４の先端には、上方を向いたネジ受け穴40が形成されている。そして、上記ベース板３を水平姿勢にした状態でベース板３の両端部からそれぞれ上方に垂直に立ち上がるように、一対（二個）のロッド部材４の下端がベース板３に固着されている。このロッド部材４は、書類等を綴じる際に、書類等に開けられた一対の綴じ孔にそれぞれ貫通することになる。
【００２７】
また、本実施形態のロッド部材４は、分離自在に連結された複数個のロッドピースからなる。そして、このロッドピースの数を増減させることでロッド部材４の長さを変更自在に構成されている。本実施形態ではロッドピースとしての下ピース41の上側に、同じくロッドピースとしての上ピース45を連結して、これら二個のロッドピースでロッド部材４を構成してある。
【００２８】
下ピース41は、下端がベース板３に固着され、上端に連結ネジ受け穴410が形成されている。この連結ネジ受け穴410は、上ピース45の下端に形成された連結雄ネジ部451が螺着自在であるとともに、後述する雄ネジ６も螺着自在に構成されている。連結雄ネジ部451は二条ネジや三条ネジなどの多条ネジで構成することが好ましい。本実施形態では連結雄ネジ部451を二条ネジで構成してある。
【００２９】
また、上ピース45には、上端にロッド部材４としてのネジ受け穴40が形成されており後述する雄ネジ６が螺着自在に構成されている。さらに、このネジ受け穴40には、図３に示すように、ロッド部材(45)の先端から所定の深さまで雌ネジ溝402が切られていないネジ無し部401を備えている。ネジ無し部401の内径は、後述する雄ネジ６のネジ部65が容易に入り込めるように、ネジ部65の外径よりも大きく形成されている。
【００３０】
３．押さえ板
本実施形態の押さえ板５は、上記ベース板３と同様、長尺な板材であり、金属板を用いてある。この押さえ板５には、上記一対のロッド部材４に形成された一対のネジ受け穴40に対応する位置に一対の透孔50が開けられている。そして、押さえ板５は、書類等に開けられた一対の綴じ孔に一対のロッド部材４をそれぞれ貫通させた後、後述する雄ネジ６によって、一対のロッド部材４の先端を橋渡しするように、一対のロッド部材４の先端に架設される。
【００３１】
４．雄ネジ
本実施形態の雄ネジ６は、偏平円柱状の頭部61を備え、金属製のものを用いてある。雄ネジ６は、上記押さえ板５に開けられた透孔50を上方から貫通してロッド部材４のネジ受け穴40に螺着されることで、押さえ板５をロッド部材４に着脱自在に固定する。
【００３２】
雄ネジ６の頭部61上面には十文字状の溝が形成されており、コイン等を用いた締め付けが容易に実施できるようになっている。また、雄ネジ（ネジ部65）は二条ネジとなっており、容易に雄ネジ６がネジ受け穴40に螺着するように構成されている。
【００３３】
また、図４に示すように、本実施形態の雄ネジ６は、偏平円柱状の頭部61の直径Φが押さえ板５の幅Ｗよりも大きく形成されており、これによって押さえ板５の左右から雄ネジ６の頭部61の一部がはみ出す構成となっている。また、これに加えて、図４の部分拡大図に示すように、雄ネジ６の頭部61には、その外周611に、滑り止め加工としての凹凸加工（ギザギザ加工）を施してある。
【００３４】
上記本考案のバインダー金具２は、シンプルな構造でありながらも、書類等を比較的迅速に綴じ込むことができる。特に、多条ネジのピッチを大きくとったり、ネジ無し部401の深さＤを深く調節したりすることで、より少ない回転数で雄ネジ６を締め付けることができるようになる。また、このバインダー金具２を用いたバインダーＢも同様の特徴を備える。
【００３５】
［第二実施形態］
次に、図６を用いて、第二実施形態のバインダー金具およびバインダーを例示説明する。本実施形態のバインダー金具等は、上記第一実施形態のバインダー金具等の構成に加えて、さらに樹脂製シート７を備える点が特徴である。なお、上記第一実施形態と同様の構成要素については同様の符号を付し、原則として、その説明を省略する。
【００３６】
１．樹脂製シート
本実施形態で用いる樹脂製シート７は、中央部に圧入孔70が開いたドーナツ状であり、厚手のビニールシートを用いてある。圧入孔70の内径は、雄ネジ６のネジ部65の外径よりも若干小さく形成されている。この樹脂製シート７の表面および裏面には図示しない凹凸加工が施されている。
【００３７】
そして、樹脂製シート７は、ロッド部材４の先端と押さえ板５との間に取り付けられる。具体的には、押さえ板５に開けられた透孔50に貫通した雄ネジ６の先端部（ネジ部65）を圧入孔70に圧入して貫通させ、圧入孔70から下方に突出したネジ部65をネジ受け穴40に螺着することで、ロッド部材４の先端と押さえ板５との間に取り付けられた状態となる。
【００３８】
上記本考案のバインダー金具２は、書類等の取り外しなどを行うため雄ネジをネジ受け穴から外した際における雄ネジの脱落を防止することができるとともに、書類等を綴じ込んだ状態における雄ネジの緩み止めにもなる。また、このバインダー金具２を用いたバインダーも同様の特徴を備える。
【００３９】
以上、特定の実施形態を参照して本考案を説明したが、本考案は上記実施形態に限定されるものではなく、当該技術分野における熟練者等により、本出願の願書に添付された実用新案登録請求の範囲から逸脱することなく、種々の変更及び修正が可能である。
【００４０】
例えば、上記実施形態においては、分離自在に連結された二個のロッドピースでロッド部材を構成したが、これに限定されず、ロッドピースに分割できない一体化されたロッドピースとしてもよい。また、三個以上のロッドピースでロッド部材を構成してもよい。例えば、上記実施形態において、上ピース41の上に、これと同様の構造の追加ピースを取り付けてもよい。
【００４１】
また、上記実施形態においては、一対のみのロッド部材を備えた例を説明したが、これに限定されず、一対（二個）以上のロッド部材を備えた構成としてもよい。このとき、押さえ板には、追加されたロッドピースに対応する位置に追加で透孔を設け、また、雄ネジも、追加されたロッドピースに対応する数だけ追加することが好ましい。しかし、一対のみのロッド部材を備えることが、部品点数を減らせると共により迅速に書類等を綴じるためには好ましい。
【００４２】
また、上記実施形態においては、雄ネジの頭部の直径が押さえ板の幅よりも大きい例を説明したが、これに限定されず、頭部の直径が押さえ板の幅よりも小さくてもよい。しかし、頭部の直径が押さえ板の幅よりも大きいことが、より迅速に書類等を綴じるためには好ましい。
【００４３】
また、上記実施形態においては、雄ネジの頭部の外周に滑り止め加工が施されている例を説明したが、これに限定されず、滑り止め加工が施されていなくてもよい。しかし、頭部の外周に滑り止め加工が施されていることが、より迅速に書類等を綴じるためには好ましい。
【符号の説明】
【００４４】
１  バインダー本体
10  内側
11  背表紙
12  表表紙
13  裏表紙
２  バインダー金具
３  ベース板
４  ロッド部材
40  ネジ受け穴
401  ネジ無し部
402  雌ネジ溝
41  下ピース（ロッドピース）
410  連結ネジ受け穴
45  上ピース（ロッドピース）
451  連結雄ネジ部
５  押さえ板
50  透孔
Ｗ  幅
６  雄ネジ
61  頭部
Φ   直径
611  外周
65  ネジ部
７  樹脂製シート
70  圧入孔
Ｂ  バインダー
【図１】
0003157127.tif 000003
【図２】
0003157127.tif 000004
【図３】
0003157127.tif 000005
【図４】
0003157127.tif 000006
【図５】
0003157127.tif 000007
【図６】
0003157127.tif 000008